(57)【特許請求の範囲】
【請求項１】
遊技盤の所定位置に配設されたベース部材と、このベース部材と一体の支持体に取り付けられた配線基板と、この配線基板の一面上に実装された複数の発光体と、複数種類の図柄表示面が周方向に連続して設けられた円筒状の回転表示体と、この回転表示体の軸線方向の両端部に固定されて中心部に中心孔を有する一対の端面板と、いずれか一方の前記端面板を介して前記回転表示体を軸心回りに回転および停止させる駆動手段とを備え、
前記支持体が一対の前記端面板の前記中心孔を貫通して前記回転表示体の内部に配置されていると共に、前記配線基板は前記回転表示体の内部にその軸心を通る仮想線に沿って前記支持体に固定されており、任意の前記図柄表示面が前記遊技盤の前面に露出しているときに、前記発光体の光がこの図柄表示面の裏側に向けて照射されるように構成したことを特徴とする回転式役物装置。
【請求項２】
請求項１の記載において、前記回転表示体が一対の前記端面板によって円筒状に連結された複数の分割ドラムからなり、これら各分割ドラムがそれぞれ前記図柄表示面を有する樹脂成形品であることを特徴とする回転式役物装置。
【請求項３】
請求項２の記載において、前記分割ドラムが外表面に転写箔を有するインモールド成形品からなり、この分割ドラムの内外両周面の少なくとも一方面にレンズカット加工が施されていることを特徴とする回転式役物装置。
【請求項４】
請求項１〜３のいずれか１項の記載において、前記配線基板を前記支持体との間に挟持する保持体を備え、この保持体に前記各発光体を複数の領域に仕切る遮光壁が立設されていることを特徴とする回転式役物装置。
【発明の詳細な説明】
【技術分野】
【０００１】
本発明は、パチンコ機等の遊技機に備えられる回転式役物装置に関するものである。
【背景技術】
【０００２】
パチンコ機に代表される遊技機の中には、遊技盤の遊技領域に可変表示装置や始動入賞口やアタッカ装置等を設け、遊技領域に向けて発射された遊技球が始動入賞口に入賞したことを契機に電子抽選を行い、その抽選結果に基づいて可変表示装置が図柄の変動表示および変動停止を行うようにした機種が数多く存在する。電子抽選の抽選結果には当たりとハズレがあり、抽選結果が当たりの場合には、可変表示装置の表示画面に特定の図柄が表示され、通常モードから特別遊技モードへと移行する。この特別遊技モードでは、アタッカ装置の開閉扉が開放動作して大入賞口を露呈させるので、露呈した大入賞口に遊技球が入りやすくなって遊技者は多くの賞球を獲得できるようになる。
【０００３】
この種のパチンコ機において、可動態様を変化させることができる可動体を可変表示装置の周囲の任意位置に配置し、電子抽選の抽選結果に基づく可変表示装置の表示内容と可動体の可動態様とを組み合わせることにより、興趣性の高い演出を行うようにした役物装置が広く採用されている。可動体はモータ等を駆動源として種々の動きを行うようになっており、その一例として、ドラム形状の回転表示体（可動体）をモータを駆動源として回転および停止することにより、回転表示体に形成された複数種類の図柄表示面を遊技盤の前面に露出させるようにした回転式役物装置が知られている。
【０００４】
かかる回転式役物装置において、遊技盤の前面に露出した図柄表示面を照光させるようにすれば、回転表示体の回転・停止という可動演出だけでなく発光演出も付加されるため、従来より、図柄表示面を裏側から照光する照光手段を備えたものが知られている（例えば、特許文献１参照）。この従来例に係る回転式役物装置では、円筒状の図柄ドラムの外周面に複数の開口が形成されていると共に、複数種類の図柄表示面を有する樹脂フィルムが各開口を覆うように図柄ドラムの外周面に取り付けられている。また、図柄ドラムには外周面から中心に向かって延びる複数本のスポーク片が形成されており、各スポーク片が集結する中心位置にモータの回転軸が取り付けられている。このモータは配線基板上に搭載されており、配線基板は図柄ドラムの軸心に対して直交するように配置されている。また、配線基板には複数のＬＥＤ（発光体）とリフレクタが搭載されており、各ＬＥＤは樹脂フィルムの内周面と所定間隔を保つように円弧状に配列されている。リフレクタには図柄ドラムの円周に近似した形状の反射面が設けられており、各ＬＥＤから発せられる光は反射面で反射して樹脂フィルムの裏面に照射されるようになっている。
【先行技術文献】
【特許文献】
【０００５】
【特許文献１】特開２００４−３３３０６号公報
【発明の概要】
【発明が解決しようとする課題】
【０００６】
特許文献１に開示された従来の回転式役物装置によれば、図柄ドラムを停止させて任意の図柄表示面が遊技盤の前面に露出しているとき、リフレクタで反射した各ＬＥＤの反射光だけが図柄表示面の裏面に照射され、各ＬＥＤからの直接光は図柄表示面に照射されないため、図柄表示面を均一の輝度で明輝照光させることができる。しかしながら、各ＬＥＤの光を全て反射光として図柄表示面の裏面に照射するには、リフレクタに複数の主反射面や補助反射面を形成する必要があるため、リフレクタの全体形状が複雑になって部品コストが上昇するという問題があった。また、図柄ドラムの軸心に対して直交配置された配線基板に複数のＬＥＤ（発光体）が実装されているため、図柄ドラムの幅寸法（軸線方向の長さ）が長くなると、配線基板から離れた箇所の図柄表示面にＬＥＤの光が届きにくくなり、図柄表示面に幅方向の輝度ムラが発生しやすくなる。なお、各ＬＥＤを図柄ドラムの軸心近傍に配置して図柄表示面から遠ざければ、リフレクタを省略しても各ＬＥＤの直接光によって図柄表示面を均一の輝度で照光可能となるが、前述した従来の回転式役物装置では、図柄ドラムの軸心にはモータの回転軸が存在するため、各ＬＥＤを図柄ドラムの軸心近傍に配置することはできない。
【０００７】
本発明は、このような従来技術の実情に鑑みてなされたもので、その目的は、リフレクタを用いなくても図柄表示面を均一の輝度で照光可能な回転式役物装置を提供することにある。
【課題を解決するための手段】
【０００８】
上記の目的を達成するために、本発明の回転式役物装置は、遊技盤の所定位置に配設されたベース部材と、このベース部材と一体の支持体に取り付けられた配線基板と、この配線基板の一面上に実装された複数の発光体と、複数種類の図柄表示面が周方向に連続して設けられた円筒状の回転表示体と、この回転表示体の軸線方向の両端部に固定されて中心部に中心孔を有する一対の端面板と、いずれか一方の前記端面板を介して前記回転表示体を軸心回りに回転および停止させる駆動手段とを備え、前記支持体が一対の前記端面板の前記中心孔を貫通して前記回転表示体の内部に配置されていると共に、前記配線基板は前記回転表示体の内部にその軸心を通る仮想線に沿って前記支持体に固定されており、任意の前記図柄表示面が前記遊技盤の前面に露出しているときに、前記発光体の光がこの図柄表示面の裏側に向けて照射されるように構成した。
【０００９】
このように構成された回転式役物装置では、円筒状の回転表示体の両端部に端面板が固定されており、この端面板を介して回転表示体が軸心回りに回転および停止するようになっているが、ベース部材と一体の支持体が両端面板の中心孔を貫通して回転表示体の内部に配置されていると共に、配線基板が回転表示体の内部でその軸心を通る仮想線に沿って支持体に固定されているため、配線基板上に実装された複数の発光体を回転表示体の図柄表示面に対し離れた位置に配置することができる。したがって、回転表示体を軸心回りに回転駆動して任意の図柄表示面が遊技盤の前面に露出しているときに、その図柄表示面の裏側から発光体の光を照射すれば、わざわざリフレクタを用いなくても図柄表示面を均一の輝度で照光することができる。
【００１０】
上記の構成において、回転表示体が一対の端面板によって円筒状に連結された複数の分割ドラムからなり、これら各分割ドラムがそれぞれ図柄表示面を有する樹脂成形品であると、各分割ドラムの周面全域を図柄表示面として利用することができて好ましい。
【００１１】
この場合において、分割ドラムが外表面に転写箔を有するインモールド成形品からなり、この分割ドラムの内外両周面の少なくとも一方にレンズカット加工が施されていると、多種多様の図柄表示面を有する分割ドラムを容易に成形することができるだけでなく、分割ドラムの内周面や外周面に施されたレンズカット加工によって図柄表示面のギラツキ感などが調整可能となるため、様々な発光態様に好適な回転式役物装置を実現することができる。
【００１２】
また、上記の構成において、配線基板を支持体との間に挟持する保持体を備え、この保持体に各発光体を複数の領域に仕切る遮光壁が立設されていると、保持体に立設された遮光壁で仕切られた発光体どうしの光の干渉が抑制されるため、遊技盤の前面に露出した図柄表示面を部分的に異なる発光色で照光することができると共に、このような保持体を配線基板と一緒に支持体に固定することができる。
【発明の効果】
【００１３】
本発明の回転式役物装置は、周方向に連続した複数種類の図柄表示面を有する円筒状の回転表示体の両端部に端面板が固定されており、この端面板を介して回転表示体が軸心回りに回転および停止するようになっているが、ベース部材と一体の支持体が両端面板の中心孔を貫通して回転表示体の内部に配置されていると共に、配線基板が回転表示体の内部でその軸心を通る仮想線に沿って支持体に固定されているため、配線基板上に実装された複数の発光体を回転表示体の図柄表示面から離れた位置に配置することができる。したがって、回転表示体を回転駆動して任意の図柄表示面が遊技盤の前面に露出しているときに、その図柄表示面の裏面に対して離れた位置から発光体の光を照射することが可能になり、わざわざリフレクタを用いなくても図柄表示面を均一の輝度で照光することができる。
【図面の簡単な説明】
【００１４】
【図１】本発明の実施形態例に係るパチンコ機の斜視図である。
【図２】図１に示すパチンコ機の前面扉を開放した状態の斜視図である。
【図３】図１に示すパチンコ機の背面図である。
【図４】図１のパチンコ機に備えられる遊技盤の正面図である。
【図５】図４に示す遊技盤に配設された役物装置ユニットの斜視図である。
【図６】図５の役物装置ユニットから前面板を取り除いて示す斜視図である。
【図７】図５に示す役物装置ユニットの分解斜視図である。
【図８】図５に示す役物装置ユニットのシャッタ閉状態の正面図である。
【図９】図５に示す役物装置ユニットのシャッタ全開状態の正面図である。
【図１０】図５の役物装置ユニットに備えられる回転表示体の斜視図である。
【図１１】図１０に示す回転表示体の正面図である。
【図１２】図１０に示す回転表示体の右側面図である。
【図１３】図１０に示す回転表示体の左側面図である。
【図１４】図１１のＡ−Ａ線に沿う断面図である。
【図１５】図１１のＢ−Ｂ線に沿う断面図である。
【図１６】図１０に示す回転表示体の分解斜視図である。
【図１７】図１０の回転表示体の内部構造を示す斜視図である。
【図１８】図１０の回転表示体に備えられる分割ドラムの要部断面図である。
【発明を実施するための形態】
【００１５】
発明の実施の形態について図面を参照して説明すると、図１と図２に示すように、本発明の実施形態例に係る遊技機（パチンコ機）は、遊技場の島設備に設置される縦長方形状の機枠１と、機枠１に扉状に開閉自在に取り付けられた機器本体２と、機器本体２の前面に扉状に開閉自在に取り付けられた前面扉３等を備えており、前面扉３にはガラスやプラスチック等からなる透明板４が取り付けられている。
【００１６】
機枠１の左下隅部には大型のスピーカ５が配設されており、このスピーカ５は前面扉３の切り欠き内に位置して前方に露出している。機器本体２の上部内側には後述する遊技盤６が収納されており、この遊技盤６の盤面（前面）は透明板４を透して外部から目視可能となっている。また、機器本体２の右側枠部にはシリンダ錠７ａを有する施錠装置７が設置されており、図示省略されているが、この施錠装置７は機器本体２の裏面に配置された後部施錠杆と機器本体２の前面に配置された前部施錠杆とを備えている。常態では、施錠装置７の後部施錠杆によって機枠１に対して機器本体２が施錠されると共に、前部施錠杆によって機器本体２に対して前面扉３が施錠されている。そして、シリンダ錠７ａの鍵穴に図示せぬ鍵を差し込み、この鍵を一方向（例えば時計回り）へ回動すると、後部施錠杆が下動して機器本体２が開錠されるようになっている。また、シリンダ錠７ａの鍵穴に差し込んだ鍵を他方向（反時計回り）へ回動すると、前部施錠杆が上動して前面扉３が開錠されるようになっている。
【００１７】
前面扉３には遊技盤６の盤面に対向する大きな開口３ａが開設されており、この開口３ａは透明板４によって塞がれている。前面扉３の前面上部には比較的小型のスピーカ８が左右に１個ずつ配設されており、これらスピーカ８と前述した大型のスピーカ５とによって遊技に関する様々な効果音を発するようになっている。さらに、前面扉３の前面下部には、遊技盤６の裏面に配設された賞球払出装置（後述する）から払い出された遊技球を収容する上段受皿９と、上段受皿９から排出された遊技球を収容する下段受皿１０と、遊技者による押下操作が可能なプッシュ釦１１等が設けられており、上段受皿９の右側方には操作ハンドル１２が配設されている。
【００１８】
機枠１の左側枠部には上側軸受け体１３と下側軸受け体１４が固着されており、これら両軸受け体１３，１４に本体枠２の左側枠部の上下両端に設けた第１ピン（図示省略）を軸支することによって、本体枠２を機枠１に対して開閉自在に支持する第１ヒンジ機構が構成されている。一方、前面扉３の左側枠部の上下両端には第２ピン（図示省略）が設けられており、これら両第２ピンを本体枠２の左側枠部に突設した上下の支持板２ａに軸支することによって、前面扉３を本体枠２に対して開閉自在に支持する第２ヒンジ機構が構成されている。また、本体枠２の上部内側は遊技盤６の収納スペースとなっており、この収納スペースの下方は前面扉３によって覆い隠される設置部２ｂとなっている。設置部２ｂ内の下部中央には遊技球を遊技領域９に向けて発射する発射装置１５が配設されており、前述した操作ハンドル１２の回動操作量に応じて発射装置１５の発射強度が調整されるようになっている。
【００１９】
図３に示すように、遊技盤６の裏面側には、遊技に関する主要な処理を行う主制御処理部１６と、主制御処理部１６からの指令を受けて前述したスピーカ５，８や後述する可変表示装置や役物装置ユニット等の各種装置を制御する副制御処理部１７と、前述した賞球払出装置１８と、主制御処理部１６からの指令を受けて賞球払出装置１８を制御する払出制御処理部１９と、操作ハンドル１２の回動操作量に応じて前記発射装置１５の作動を制御する発射制御処理部２０と、賞球数や大当たり回数等の各種情報を遊技場のホールコンピュータに出力する外部端子基板２１等が設けられている。主制御処理部１６は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装された制御基板（メイン基板）とを備えており、このＣＰＵがＲＯＭに格納された各種プログラムやデータを読み込んで実行することにより、遊技に関する主要な処理が行われる。
【００２０】
図４に示すように、遊技盤６の前面はガイドレール２２等によって略円形状に区画された遊技領域２３となっており、遊技者が操作ハンドル１２を任意角度まで回動操作すると、前記発射装置１５が上段受皿９に保留された遊技球を遊技領域２３に向けて連続的に打ち出すようになっている。遊技領域２３の上部中央付近にはセンター役物２４が配置されており、このセンター役物２４は、中央部に矩形状の開口部２５ａを有する装飾枠２５と、装飾枠２５の下壁部に配設された後述する役物装置ユニット２６と、装飾枠２５の裏面側に配置された可変表示装置２７とを具備している。可変表示装置２７は液晶パネル（ＬＣＤ）からなり、その表示画面２７ａは装飾枠２５の開口部２５ａから露出している。
【００２１】
装飾枠２５には役物装置ユニット２６の前方位置で左右方向へ延びるステージ２８が設けられており、このステージ２８の中央部には前方側へ傾斜する誘導溝２８ａが形成されている。また、装飾枠２５の左側壁には中空構造のワープ通路２９が形成されており、このワープ通路２９の両端は遊技領域２３とステージ２８に向けてそれぞれ開口している。したがって、センター役物２４の左側の遊技領域２３を流下する遊技球がワープ通路２９に入球すると、その遊技球はワープ通路２９の内部を通ってステージ２８に排出された後、ステージ２８上を転動して誘導溝２８ａへと導かれる。
【００２２】
ステージ２８の誘導溝２８ａの真下位置には上面を開口した単純構造の第１始動入賞口３０が配設されており、ステージ２８上を転動して誘導溝２８ａから落下した遊技球が高い確率で第１始動入賞口３０に入賞するようになっている。第１始動入賞口３０の真下には第２始動入賞口３１が配設されており、この第２始動入賞口３１は一対の可動片を有する電動チューリップ構造の始動入賞口となっている。そして、これら第１および第２始動入賞口３０，３１のいずれか一方に遊技球が入賞すると、それを契機として特別図柄に係る電子抽選が行われ、その抽選結果に基づいて可変表示装置２７の表示画面２７ａ上で演出用図柄の変動表示および停止表示が行われる。また、装飾枠２５の右下隅部にスルーチャッカー３２が配設されており、遊技球がこのスルーチャッカー３２を通過すると、それを契機として普通図柄に係る電子抽選が行われ、その抽選結果が当たりの場合に第２始動入賞口３１の両可動片を一時的に開放して遊技球の入賞を許可するようになっている。
【００２３】
さらに、ステージ２８の右斜め下方位置にはアタッカ装置３３が配設されており、このアタッカ装置３３は内部の大入賞口を開閉可能な横長形状の開閉扉を有している。アタッカ装置３３は、第１および第２始動入賞口３０，３１のいずれか一方に遊技球が入賞することを契機に行われる特別図柄に係る電子抽選の結果、当たりとなって大当たり遊技状態（特別遊技モード）へ移行した場合に作動される装置である。具体的には、特別図柄の抽選結果が当たりの場合、アタッカ装置３３の開閉扉が複数回繰り返して開放動作することにより、大入賞口を露呈させて遊技球の入賞を許可するようになっている。開閉扉は１回の開放動作（１ラウンド）について例えば３０秒経過するまで、あるいは遊技球が大入賞口に例えば１０個入るまで開放状態を維持し、かかる開放動作を例えば１５回繰り返した後に大当たり遊技が終了する。
【００２４】
その他、遊技領域２３には、遊技球の払い出しのみを行う複数の一般入賞口３４や、遊技球の流下経路を担う風車３５と複数本の遊技釘３６等が配設されており、いずれの始動入賞口３０，３１や一般入賞口３４にも入賞しなかった遊技球は、遊技領域２３の最下端部に設けられたアウト口３７から遊技盤６の裏面側に排出されるようになっている。
【００２５】
役物装置ユニット２６は前述した特別図柄に係る電子抽選の結果を可動体の可動態様によって遊技者に示唆することができる装置であり、図５〜図９に示すように、この役物装置ユニット２６は、前面を開口した箱形形状の基体３８と、基体３８の上部領域に配置された中空円筒状の回転表示体３９と、基体３８の下部領域を覆うように配置された横長形状の背面板４０と、背面板４０の前方に所定間隔を存して対向配置された前面板４１と、回転表示体３９の前方に配置された左右一対のシャッター４２，４３と、回転表示体３９の駆動源である第１モータ４４と、両シャッター４２，４３の駆動源である第２モータ４５と、回転表示体３９の初期位置を検出する光検出センサ４６と、両シャッター４２，４３の前方に配置されたカバー４７等によって主に構成されている。
【００２６】
基体３８と背面板４０および前面板４１の三者はネジ止めにより一体化されてベース部材を構成しており、このベース部材は遊技盤６の裏面に固定されるようになっている。回転表示体３９の構成については後ほど詳細に説明するが、この回転表示体３９の軸線方向の両端部には円環状の端面板４８，４９がそれぞれ固定されており、これら両端面板４８，４９は回転表示体３９を貫通する支持体６４に回転可能に支持されている。支持体６４の両端部は基体３８に固定されており、回転表示体３９は支持体６４を中心とする軸心回りに回転可能となっている。回転表示体３９の駆動手段である第１モータ４４は基体３８の内底面に固定された取付板６５に取り付けられており、第１モータ４４の出力軸に固着された駆動ギア５０が一方の端面板４８の外周面に刻設されたギア部４８ａと噛合している。これにより、第１モータ４４の回転が駆動ギア５０から端面板４８を介して回転表示体３９に伝達されるため、回転表示体３９が支持体６４を中心とする軸心回りに回転および停止するようになっている。
【００２７】
右側のシャッター４２には弾痕形状の孔４２ａと半割形状の切欠き４２ｂが形成されており、このシャッター４２の下辺には上段側ラック部材５１が設けられている。同様に、左側のシャッター４３にも弾痕形状の孔４３ａと半割形状の切欠き４３ｂが形成されており、このシャッター４３には下段側ラック部材５２が設けられている。これら両ラック部材５１，５２は背面板４０と前面板４１間のスペース内に配置され、それぞれ左右方向へ移動可能にガイドされている。上段側ラック部材５１のギア部５１ａと下段側ラック部材５２のギア部５２ａはそれぞれピニオン５３と噛合しており、ピニオン５３の回転に伴って両ラック部材５１，５２は互いに逆向きに移動するようになっている。ピニオン５３は第２モータ４５の出力軸に設けられた減速ギア列５４の最終段ギアであり、第２モータ４５は背面板４０の裏側に固定された取付板５５に取り付けられている。
【００２８】
カバー４７の上下両端は基体３８と前面板４１にネジ止めされており、このカバー４７には横長矩形状の窓孔４７ａが形成されている。両シャッター４２，４３は窓孔４７ａを開閉するように左右方向へ往復移動し、図８に示すように、両シャッター４２，４３が閉じて窓孔４７ａの中央位置で停止している場合、回転表示体３９は両シャッター４２，４３によって覆い隠された状態となる。その際、両シャッター４２，４３の切欠き４２ｂ，４３ｂが連続して孔形状となるため、窓孔４７ａ内に両孔４２ａ，４３ａを含む３つの弾痕形状の孔が現れ、これら各孔を通して回転表示体３９の一部が目視されることになる。一方、図９に示すように、両シャッター４２，４３が開いて窓孔４７ａの両側位置へ退避すると、窓孔４７ａ内に回転表示体３９が露出した状態となる。
【００２９】
図１０〜図１７に示すように、前記回転表示体３９は円周方向に沿って４分割された４つの分割ドラム５６からなり、これら分割ドラム５６の両端部がそれぞれ端面板４８，４９に固定されている。分割ドラム５６はインモールド成形によって形成された樹脂成形品からなり、１／４円筒状の図柄表示面５６ａと、図柄表示面５６ａの両端から径方向へ突出する一対の取付面５６ｂとを有している。取付面５６ｂは樹脂材料のみで成形されているが、図柄表示面５６ａには分割ドラム５６ごとに異なる図柄が施されており、このような分割ドラム５６はシングルインモールドと呼ばれる成形方法を用いて得られる。かかるインモールド成形方法は、予め所望の図柄を印刷（または蒸着）したベースフィルムを射出成形機の金型内に挟み込み、射出成形の熱と圧力によってベースフィルム上の図柄を成形品に転写させるという成形方法であり、図１８に示すように、成形品５６Ａの外表面にベースフィルムから剥がれた図柄を転写箔５６Ｂとして形成することができる。また、成形品５６Ａの内表面にレンズカット形状の凹凸部５６ｃが形成されており、この凹凸部５６ｃによって後述するＬＥＤ（発光体）からの光が屈折されるようになっている。凹凸部５６ｃは金型のキャビティ内面に設けられた凹凸形状を成形品５６Ａに転写することによって形成され、インモールド成形によって外表面の図柄（転写箔５６Ｂ）と内表面のレンズカット加工（凹凸部５６ｃ）を同時に形成することができる。
【００３０】
なお、図柄表示面５６ａの外表面において、遮光性のインクや金属蒸着膜で形成された転写箔５６Ｂは遮光性領域、転写箔５６Ｂの存在しない部分は光透過領域、光透過インクで形成された転写箔５６Ｂも光透過領域となり、この光透過領域に対応する成形品５６Ａの内表面に凹凸部５６ｃが形成されている。また、転写箔５６Ｂが存在せずに成形品５６Ａの外表面が露出している光透過領域では、凹凸部５６ｃを成形品５６Ａの内表面だけでなく外表面にも形成することができ、その場合、凹凸部５６ｃのレンズカット形状を成形品５６Ａの表裏両面で異ならせることも可能である。
【００３１】
このようにして成形された４つの分割ドラム５６は、各取付面５６ｂを一対の端面板４８，４９にネジ止めすることにより、４つの図柄表示面５６ａが円周方向に隙間なく連続して円筒状の回転表示体３９として組み立てられる（図１０参照）。一対の端面板４８，４９にはそれぞれ中心孔４８ｂ，４９ｂが形成されており、支持体６４は両中心孔４８ｂ，４９ｂを貫通して回転表示体３９の両端から突出している。支持体６４の両端近傍には半円筒状のガイド面６４ａが形成されており、これらガイド面６４ａと両端面板４８，４９の中心孔４８ｂ，４９ｂとの間にリング状のスペーサ５７，５８が介在されている。これらスペーサ５７，５８は高滑性樹脂からなり、ガイド面６４ａと中心孔４８ｂ，４９ｂに対して摺動可能となっている。
【００３２】
前述したように、一方の端面板４８の外周面にはギア部４８ａが刻設されており、このギア部４８ａは第１モータ４４の出力軸に固着された駆動ギア５０と噛合している。また、他方の端面板４９の外周面にはリング状の検知面４９ａが形成されており、この検知面４９ａの一部に切欠き４９ｃが形成されている（図１３参照）。端面板４９の検知面４９ａは光検出センサ（フォトインタラプタ）４６の光路内に配置されており、光検出センサ４６は取付板５９を介して基体３８に取り付けられている（図７参照）。これにより、回転表示体３９の回転に伴って切欠き４９ｃが光検出センサ４６の光路内に到達すると、光検出センサ４６に設けられた図示せぬ発光素子の光が受光素子によって検出され、その検出信号に基づいて回転表示体３９の初期位置が検出される。
【００３３】
回転表示体３９の内部には配線基板６０と保持体６１が配置されており、配線基板６０を挟んで保持体６１を支持体６４にネジ止めすることにより、配線基板６０と保持体６１は支持体６４の中央部分に固定されている。配線基板６０は回転表示体３９の軸心を通る仮想線（図１４に２点鎖線で示す直線Ｌ）に沿って配置されており、この配線基板６０上にはコネクタ６２と複数のＬＥＤ（発光体）６３が実装されている。各ＬＥＤ６３は配線基板６０の長手方向に沿って配置されており、任意の分割ドラム５６が配線基板６０の前方で停止したとき、各ＬＥＤ６３から発せられる光がその分割ドラム５６の図柄表示面５６ａの裏側に向けて照射されるようなっている。なお、本実施形態例では、回転表示体３９を含む役物装置ユニット２６が可変表示装置２７の表示画面２７ａの下側に配設されている関係上、所望のＬＥＤ６３が他のＬＥＤ６３に対して若干下側へずれた位置に配置されており、これによって所望のＬＥＤ６３の光が遊技者の目線に届きやすくなるように配慮されている。
【００３４】
保持体６１には一対の開口部６１ａが形成されており、配線基板６０上に実装された各ＬＥＤ６３のうち、左側に位置する複数個を除く残りのＬＥＤ６３が各開口部６１ａ内に位置している。また、保持体６１には半円状に起立する一対の遮光壁６１ｂが形成されており、これら遮光壁６１ｂによって配線基板６０上の各ＬＥＤ６３は３つの領域に仕切られている。したがって、任意の分割ドラム５６が配線基板６０の前方で停止したとき、互いに仕切られたＬＥＤ６３どうしの光の干渉を遮光壁６１ｂによって防止することができ、図柄表示面５６ａの中央部と左右両側部を異なる発光色で照光することもできる。
【００３５】
このように構成された遊技機（パチンコ機）において、通常、役物装置ユニット２６は非動作状態に維持されており、図８に示すように、カバー４７の窓孔４７ａは両シャッター４２，４３によって閉じられている。この場合、回転表示体３９は両シャッター４２，４３によって覆い隠されて初期位置で停止しており、４つの分割ドラム５６の１つが両シャッター４２，４３の裏側に対向した状態となっている。
【００３６】
この状態で第２モータ４５を駆動してピニオン５３が図８の時計回りに回転すると、両ラック部材５１，５２が互いに逆向きに移動するため、図９に示すように、両シャッター４２，４３が離反方向へ移動して窓孔４７ａを開放し、それまで両シャッター４２，４３によって覆い隠されていた回転表示体３９が窓孔４７ａ内に露出する。なお、第２モータ４５の回転を制御することにより、両シャッター４２，４３を閉鎖位置と全開位置の途中で一旦停止させたり、両シャッター４２，４３を移動途中で左右方向に小刻みに震わせる等の可動演出を行うことができる。
【００３７】
回転表示体３９が窓孔４７ａ内に露出した状態で第１モータ４４を駆動すると、第１モータ４４の回転が駆動ギア５０から端面板４８を介して回転表示体３９に伝達されるため、回転表示体３９が支持体６４を中心とする軸心回りに回転する。この場合、第１モータ４４の回転を制御することにより、それまで窓孔４７ａ内に露出していた任意の分割ドラム５６の代わりに別の分割ドラム５６を窓孔４７ａ内に露出させたり、回転表示体３９を正逆両方向へ微小回転して窓孔４７ａ内に露出する分割ドラム５６を小刻みに震わせる等の可動演出を行うことができる。なお、光検出センサ４６によって回転表示体３９の初期位置が検出されるため、光検出センサ４６の検知信号に基づいて第１モータ４４の回転量を正確に制御することができる。
【００３８】
また、回転表示体３９の回転中や停止時に配線基板６０上に実装された各ＬＥＤ６３を点灯すると、ＬＥＤ６３の光が配線基板６０の前方に位置する分割ドラム５６の図柄表示面５６ａに対して裏面側から照射され、この光は図柄表示面５６ａの光透過領域を通過して前方へ出射される。その際、配線基板６０が回転表示体３９の軸心を通る仮想線Ｌに沿って配置されているため、配線基板６０上のＬＥＤ６３は各分割ドラム５６の図柄表示面５６ａに対して離れた位置に配置されることになり、わざわざリフレクタを用いなくても図柄表示面５６ａを均一の輝度で照光することができる。
【００３９】
ここで、配線基板６０上の各ＬＥＤ６３は保持体６１の遮光壁６１ｂによって３つの領域に仕切られており、各領域のＬＥＤ６３どうしの光の干渉が遮光壁６１ｂによって防止されているため、窓孔４７ａ内に露出する分割ドラム５６の図柄表示面５６ａを全て同じ発光色で照光させたり、図柄表示面５６ａを領域ごとに異なる発光色で照光させることが可能となり、例えば、図柄表示面５６ａの中央部だけを白色光で照光させて左右両側部を赤色光で照光させることができる。また、分割ドラム５６における図柄表示面５６ａの内表面の任意箇所にレンズカット形状の凹凸部５６ｃが形成されており、図柄表示面５６ａの内表面に向かうＬＥＤ６３の光が凹凸部５６ｃで屈折されて前方へ出射されるため、図柄表示面５６ａの任意箇所をギラツキ感のある光で照光することができる。
【００４０】
以上説明したように、本実施形態例に係る回転式役物装置では、複数種類の図柄表示面５６ａを有する回転表示体３９の両端部に端面板４８，４９を固定し、第１モータ４４の出力軸に設けた駆動ギア５０を一方の端面板４８のギア部４８ａに噛合することにより、この端面板４８を介して回転表示体３９が軸心回りに回転および停止するようになっていると共に、複数のＬＥＤ６３が実装された配線基板６０を回転表示体３９の内部の軸心を通る仮想線Ｌに沿って配置しているので、各ＬＥＤ６３を回転表示体３９の図柄表示面５６ａから離れた位置に配置することができる。したがって、回転表示体３９を回転駆動して任意の図柄表示面５６ａが遊技盤６の前面に露出しているときに、その図柄表示面５６ａの裏面に対して離れた位置から各ＬＥＤ６３の光を照射することが可能となり、わざわざリフレクタを用いなくても図柄表示面５６ａを均一の輝度で照光することができる。
【００４１】
また、中空構造の回転表示体３９が一対の端面板４８，４９によって円筒状に連結された複数の分割ドラム５６からなり、これら各分割ドラム５６がそれぞれ図柄表示面５６ａを有する樹脂成形品であるため、各分割ドラム５６の周面全域を図柄表示面５６ａとして利用することができる。そして、これら分割ドラム５６が外表面に転写箔５６Ｂを有するインモールド成形品からなり、この分割ドラム５６の少なくとも内周面にレンズカット形状の凹凸部５６ｃが形成されているため、多種多様の図柄表示面５６ａを有する分割ドラム５６を容易に成形することができる。しかも、分割ドラム５６の成形品５６Ａに施されたレンズカット加工によって図柄表示面５６ａのギラツキ感などを適宜調整することが可能となり、様々な発光態様に好適な回転式役物装置を実現することができる。
【００４２】
さらに、配線基板６０を挟んで保持体６１を支持体６４にネジ止めすることにより、配線基板６０と保持体６１を一緒に支持体６４に固定するようにし、この保持体６１に立設した遮光壁６１ｂによって配線基板６０上の各ＬＥＤ６３を複数の領域に仕切るようにしたので、遮光壁６１ｂで仕切られたＬＥＤ６３どうしの光の干渉を抑制することができる。これにより、遊技盤６の前面に露出する図柄表示面５６ａの全域を同じ発光色で照光させたり、図柄表示面５６ａを部分的に異なる発光色で照光させることが可能になり、発光態様のバリエーションを多様化することができる。
【００４３】
なお、上記実施形態例では、回転表示体３９や第１モータ４４等からなる回転式役物装置をカバー４７で覆い、このカバー４７に開設された窓孔４７ａを一対のシャッター４２，４３で開閉することにより、シャッター４２，４３が開いているときだけ回転表示体３９を窓孔４７ａ内に露出させるようにしているが、シャッター４２，４３を省略して回転表示体３９を常時露出させるようにしても良い。
【００４４】
また、上記実施形態例では、４分割した分割ドラム５６を周方向に連続して円筒状の回転表示体３９を構成した場合について説明したが、分割ドラム５６の分割数は４つに限定されず、遊技盤６の前面に露出する回転表示体３９の目視範囲が狭い場合、５つ以上に分割した分割ドラム５６を円筒状に連結することも可能であり、２または３つに分割した分割ドラム５６を円筒状に連結するようにしても良い。
【符号の説明】
【００４５】
６  遊技盤
２３  遊技領域
２４  センター役物
２５  装飾枠
２６  役物装置ユニット
２７  可変表示装置
２７ａ  表示画面
３８  基体（ベース部材）
３９  回転表示体
４０  背面板（ベース部材）
４１  前面板（ベース部材）
４２，４３  シャッター
４４  第１モータ
４５  第２モータ
４６  光検出センサ
４７  カバー４７
４７ａ  窓孔
４８  端面板
４８ａ  ギア部
４８ｂ  中心孔
４９  端面板
４９ａ  検知面
４９ｂ  中心孔
４９ｃ  切欠き
５０  駆動ギア
５１  上段側ラック部材
５２  下段側ラック部材
５３  ピニオン
５６  分割ドラム
５６ａ  図柄表示面
５６ｂ  取付面
５６ｃ  凹凸部
５６Ａ  成形品
５６Ｂ  転写箔
５７，５８  スペーサ
６０  配線基板
６１  保持体
６１ａ  開口部
６１ｂ  遮光壁
６３  ＬＥＤ（発光体）
６４  支持体
６４ａ  ガイド面
【図１】
0005948155.tif 000002
【図２】
0005948155.tif 000003
【図３】
0005948155.tif 000004
【図４】
0005948155.tif 000005
【図５】
0005948155.tif 000006
【図６】
0005948155.tif 000007
【図７】
0005948155.tif 000008
【図８】
0005948155.tif 000009
【図９】
0005948155.tif 000010
【図１０】
0005948155.tif 000011
【図１１】
0005948155.tif 000012
【図１２】
0005948155.tif 000013
【図１３】
0005948155.tif 000014
【図１４】
0005948155.tif 000015
【図１５】
0005948155.tif 000016
【図１６】
0005948155.tif 000017
【図１７】
0005948155.tif 000018
【図１８】
0005948155.tif 000019